(57)【要約】【課題】針状の放電電極の損傷を防止して簡単に清掃を行うことのできる電極用清掃用具を提供する。【解決手段】針状の放電電極２２の先端に付着した異物を除去する電極用清掃用具１であって、軸方向に伸縮して下端に開口部２ａを有する有底筒状に形成されるとともに伸長方向に付勢される外カバー２と、外カバー２内に取り付けられて外カバー２の伸縮に応じて軸方向に移動する清掃体６と、外カバー２の下端に設けられて開口部２ａに連通する筒状に形成されるとともに降下した清掃体６が挿通されるガイド部４とを備えた。【選択図】図３
2012003911.tif 000002
【特許請求の範囲】
【請求項１】
針状の放電電極に付着した異物を除去する電極用清掃用具であって、軸方向に伸縮して下端に開口部を有する有底筒状に形成されるとともに伸長方向に付勢される外カバーと、前記外カバー内に取り付けられて前記外カバーの伸縮に応じて軸方向に移動する清掃体と、前記外カバーの下端に設けられて前記開口部に連通する筒状に形成されるとともに降下した前記清掃体が挿通されるガイド部とを備えたことを特徴とする電極用清掃用具。
【請求項２】
前記ガイド部に設けられて前記外カバーの伸長時に吸気する吸気部を備えたことを特徴とする請求項１に記載の電極用清掃用具。
【請求項３】
前記外カバーの上端面に軸支されて前記清掃体を内部に保持する円筒状に形成されるとともに周面に螺旋状のカム溝が形成される回転筒と、前記ガイド部に取り付けられて前記カム溝に係合する係合ピンとを備えたことを特徴とする請求項１または請求項２に記載の電極用清掃用具。
【請求項４】
前記清掃体がスポンジ状、不織布状またはブラシ状に形成されることを特徴とする請求項１〜請求項３のいずれかに記載の電極用清掃用具。
【請求項５】
前記外カバーを蛇腹状に形成したことを特徴とする請求項１〜請求項４のいずれかに記載の電極用清掃用具。
【発明の詳細な説明】
【技術分野】
【０００１】
本発明は、針状の放電電極を清掃する電極用清掃用具に関する。
【背景技術】
【０００２】
コロナ放電によって空気中にイオンを発生するイオン発生装置を搭載し、殺菌効果やリラクゼーション効果を得ることができる空気清浄機や、静電気を中和する除電器等の機器が知られている。
【０００３】
コロナ放電は針状の放電電極に高電圧を印加して行われ、空気中の水分子等を分解してイオンを発生する。この時、帯電した塵埃等の異物が放電電極の先端等に吸着する場合がある。放電電極に異物が堆積するとコロナ放電が発生しにくくなるため、定期的に放電電極の針先を清掃することが望ましい。
【０００４】
特許文献１には針状の放電電極を清掃する清掃体を備えたイオン発生装置が開示される。このイオン発生装置は可動のブラシ状の清掃体を備え、使用者の操作によって定期的に清掃体と放電電極とを摺動させる。これにより、放電電極に付着した異物が除去され、コロナ放電を長期間安定して発生させることができる。
【先行技術文献】
【特許文献】
【０００５】
【特許文献１】特開２０１０−２７３９０号公報（第５頁−第１５頁、第３図）
【発明の概要】
【発明が解決しようとする課題】
【０００６】
しかしながら、上記従来のイオン発生装置によると、清掃体を収納するスペースが必要となるため、イオン発生装置を搭載した装置が大型になる問題があった。また、清掃体の劣化状態を把握することが困難になるとともに、劣化時の交換のために装置を分解する必要があるため利便性が悪い問題もあった。
【０００７】
一方で、作業者が把持した綿棒等の清掃用具を放電電極に接触させて手動で放電電極の異物を除去し、上記の問題を解消することができる。しかしながら、放電電極の立設方向に垂直な方向に強い力で清掃用具を摺動させた場合に放電電極が損傷する問題があった。
【０００８】
本発明は、針状の放電電極の損傷を防止して簡単に清掃を行うことのできる電極用清掃用具を提供することを目的とする。
【課題を解決するための手段】
【０００９】
上記目的を達成するために本発明は、針状の放電電極に付着した異物を除去する電極用清掃用具であって、軸方向に伸縮して下端に開口部を有する有底筒状に形成されるとともに伸長方向に付勢される外カバーと、前記外カバー内に取り付けられて前記外カバーの伸縮に応じて軸方向に移動する清掃体と、前記外カバーの下端に設けられて前記開口部に連通する筒状に形成されるとともに降下した前記清掃体が挿通されるガイド部とを備えたことを特徴としている。
【００１０】
この構成によると、設置面上に立設される針状の放電電極の上方から筒状のガイド部が被せられ、ガイド部の下端面が設置面に当接する。作業者の手指による押圧等によって外カバーが短縮されると外カバーに取り付けられる清掃体がガイド部内を降下する。これにより、清掃体が放電電極に接触し、放電電極に付着した異物が剥離される。外カバーは手指を離すと付勢力により伸長し、清掃体が上昇して放電電極から離れる。
【００１１】
また本発明は、上記構成の電極用清掃用具において、前記ガイド部に設けられて前記外カバーの伸長時に吸気する吸気部を備えたことを特徴としている。この構成によると、外カバーの伸長時に吸気部を介してガイド部の周囲の空気がガイド部内に流入する。この時、放電電極から剥離して落下した異物や設置面上の異物が気流によって放電電極の周囲から除去される。吸気部は小孔や切欠き等によりガイド部に形成される。
【００１２】
また本発明は、上記構成の電極用清掃用具において、前記外カバーの上端面に軸支されて前記清掃体を内部に保持する円筒状に形成されるとともに周面に螺旋状のカム溝が形成される回転筒と、前記ガイド部に取り付けられて前記カム溝に係合する係合ピンとを備えたことを特徴としている。
【００１３】
この構成によると、清掃体と一体の回転筒は外カバーの伸縮に伴って軸方向に移動し、螺旋状のカム溝と係合ピンとの係合によって回転する。これにより、清掃体と放電電極とが周方向に摺動する。
【００１４】
また本発明は、上記構成の電極用清掃用具において、前記清掃体がスポンジ状、不織布状またはブラシ状に形成されることを特徴としている。
【００１５】
また本発明は、上記構成の電極用清掃用具において、前記外カバーを蛇腹状に形成したことを特徴としている。この構成によると、外カバーは蛇腹形状によって伸長方向に付勢される。
【発明の効果】
【００１６】
本発明によると、軸方向に伸縮する外カバー内に配される清掃体が伸縮に応じて軸方向に移動し、外カバーの下端の開口部に連通する筒状のガイド部を設けたので、外カバーの短縮によって清掃体が降下し、ガイド部に挿通された放電電極と接触する。従って、放電電極に付着した異物を簡単に除去することができる。この時、清掃体が放電電極の立設方向に垂直な方向に摺動することを防止し、放電電極の損傷を防止することができる。
【図面の簡単な説明】
【００１７】
【図１】イオン発生装置を示す斜視図
【図２】イオン発生装置を示す正面断面図
【図３】本発明の実施形態の電極用清掃用具を示す正面断面図
【図４】図３のＣ矢視図
【発明を実施するための形態】
【００１８】
以下に本発明の実施形態を図面を参照して説明する。図１、図２は放電電極を有したイオン発生装置の斜視図及び正面断面図を示している。イオン発生装置２０は空気清浄機等に搭載され、着脱自在に設けられる。イオン発生装置２０はイオンを発生するイオン発生素子２１を備え、イオン発生素子２１の周囲が樹脂成形品のカバー２４により覆われる。
【００１９】
イオン発生素子２１は基板２５上に設けた複数の放電電極２２と誘導電極２３とを有している。放電電極２２は針状に形成され、基板２５上に立設される。誘導電極２３は金属板により形成され、放電電極２２を挿通する開口部を形成して放電電極２２の周囲に環状に配される。カバー２４には放電電極２２を露出する孔部２４ａが開口する。カバー２４の上面は放電電極２２の先端から所定の距離だけ離れ、孔部２４ａは誘導電極２３の開口径よりも小径に形成される。これにより、放電電極２２及び誘導電極２３に対する手指等の接触が防止される。
【００２０】
放電電極２２と誘導電極２３との間には交流波形またはインパルス波形から成る電圧が印加され、針状の放電電極２２の先端にコロナ放電が発生する。一方の放電電極２２には正電圧が印加され、電離により発生するイオンが空気中の水分と結合して主としてＨ+（Ｈ2Ｏ）ｍから成る電荷が正のクラスタイオンが形成される。他方の放電電極２２には負電圧が印加され、電離により発生するイオンが空気中の水分と結合して主としてＯ2-（Ｈ2Ｏ）ｎから成る電荷が負のクラスタイオンが形成される。ここで、ｍ、ｎは任意の自然数である。
【００２１】
Ｈ+（Ｈ2Ｏ）ｍ及びＯ2-（Ｈ2Ｏ）ｎは空気中の浮遊菌や臭い成分の表面で凝集してこれらを取り囲む。そして、式（１）〜（３）に示すように、衝突により活性種である［・ＯＨ］（水酸基ラジカル）やＨ2Ｏ2（過酸化水素）を浮遊菌や臭い成分等の表面上で凝集生成してこれらを破壊する。ここで、ｍ’、ｎ’は任意の自然数である。
【００２２】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００２３】
従って、プラスイオン及びマイナスイオンを発生して室内の殺菌や臭い除去を行うことができる。また、放電電極２２からマイナスイオンのみを発生してリラクゼーション効果を得ることも可能である。
【００２４】
放電電極２２には帯電した塵埃や放電による析出物等の異物Ｗが吸着する場合がある。図３は放電電極２２の異物Ｗを除去する電極用清掃用具の正面断面図を示している。電極用清掃用具１は下端に開口部２ａを有した有底筒状の外カバー２を備えている。外カバー２は蛇腹形状の樹脂成形品から成り、軸方向に伸縮自在に形成される。
【００２５】
外カバー３の下方には開口部２ａに連通する筒状のガイド部４が設けられる。ガイド部４は上端に設けた鍔部４ｂが外カバー３の下端面２ｃに固着して取り付けられる。一般的なイオン発生装置２０の孔部２４ａの直径はφ８ｍｍ〜φ１５ｍｍ程度であるため、ガイド部４の鍔部４ｂよりも下方の外径はφ６ｍｍ程度に形成される。ガイド部４の下部には小孔から成る複数の通気孔４ｃが設けられる。また、鍔部４ｂの上面にはガイド部４の内周面よりも内側に突出する係合ピン９が取り付けられる。
【００２６】
外カバー３の上端面２ｂの下面には金属板から成る台座３が取り付けられる。台座３とガイド部４の鍔部４ｂとの間には圧縮バネ７が配される。外カバー２は蛇腹形状によって伸長方向に付勢されるとともに、圧縮バネ７によって伸長方向に付勢される。
【００２７】
台座３には圧縮バネ７の内側に配された下端が開口する円筒状の回転筒８が外カバー２と同軸に軸支される。回転筒８内には柱状の清掃体保持部５が同軸に取り付けられる。清掃体保持部５の下端には清掃体６が取り付けられる。外カバー２の伸縮によって回転筒８、清掃体保持部５及び清掃体６が一体に軸方向に上下移動し、清掃体６がガイド部４内を進退する。
【００２８】
清掃体６は軟質部材から成り、スポンジ状、不織布状、あるいはブラシ状に形成される。スポンジ状の清掃体６は多孔質の発泡金属や発泡樹脂等により形成することができる。不織布状やブラシ状の清掃体６はＰＰやナイロン等の線材によって形成することができる。
【００２９】
清掃体６は清掃体保持部５に対して着脱自在に設けられ、異物Ｗの種類に応じて清掃体６を交換することができる。例えば、異物Ｗが塵埃のみである場合はブラシ状の清掃体６、柔らかい析出物の場合は不織布状の清掃体６、比較的硬い析出物の場合はスポンジ状の発泡金属から成る清掃体６等を用いることができる。
【００３０】
また、放電電極２２の長さが一般に５〜１０ｍｍ程度であるため、清掃体６の軸方向の長さは放電電極２２よりも長い約１２ｍｍ以上に形成される。これにより、清掃体６を放電電極２２の根元の基板２５まで接触させることができる。
【００３１】
図４は図３のＣ矢視図を示している。回転筒８の周面には係合ピン９が係合する螺旋状のカム溝８ａが形成される。これにより、回転筒８は軸方向に移動した際に、カム溝８ａと係合ピン９との係合によって回転する。
【００３２】
上記構成の電極用清掃用具１において、ガイド部４をイオン発生装置２０の孔部２４ａに挿入してガイド部４内に放電電極２２が挿通される。そして、ガイド部４の下端面４ａは放電電極２２の設置面である基板２５上に当接する。この状態で作業者の手指等によって外カバー２の上端面２ｂが矢印Ａに示すように押圧される。
【００３３】
上端面２ｂの押圧によって外カバー２は圧縮バネ７及び蛇腹状の外カバー２自身の付勢力に抗して短縮される。外カバー２の短縮によって回転筒８が押し下げられるとともにカム溝８ａと係合ピン９との係合によって矢印Ｂに示すように回転する。
【００３４】
これにより、清掃体６が放電電極２２と略同軸に回転しながら一点鎖線Ｄ（図３参照）に示すようにガイド部４内に挿通されて降下する。清掃体６は放電電極２２と軸方向及び周方向に摺動して放電電極２２に付着した異物Ｗを剥離させる。また、清掃体６は基板２５と接触して基板２５に付着した塵埃等の異物Ｗを剥離させる。
【００３５】
作業者が外カバー２の上端面２ｂから手指等を離すと、外カバー２が圧縮バネ７及び蛇腹状の外カバー２自身の付勢力によって伸長する。外カバー２の伸長によって回転筒８が清掃体６とともに上昇する。この時、通気孔４ｃから周囲の空気がガイド部４内に流入し、放電電極２２及び基板２５から剥離した異物Ｗが気流により放電電極２２の周囲から取り除かれる。これにより、放電電極２２及び基板２５に付着した異物Ｗが除去される。
【００３６】
本実施形態によると、軸方向に伸縮する外カバー２内に配される清掃体６が伸縮に応じて軸方向に移動し、外カバー２の下端の開口部２ａに連通する筒状のガイド部４を設けたので、外カバー２の短縮によって清掃体６が降下し、ガイド部４に挿通された放電電極２２と接触する。従って、放電電極２２に付着した異物Ｗを簡単に除去することができる。この時、清掃体６が放電電極２２の立設方向に垂直な方向に摺動することを防止し、放電電極２２の損傷を防止することができる。
【００３７】
また、ガイド部４に設けた通気孔４ｃが外カバー２の伸長時に吸気する吸気部を構成するので、吸気部から流入する気流によって放電電極２２の周囲から異物Ｗを除去して異物Ｗの再付着を低減することができる。尚、吸気部をガイド部４の下端面４ａの切欠きによって形成してもよい。
【００３８】
また、周面に螺旋状のカム溝８ａを有する回転筒８によって清掃体６を保持し、カム溝８ａに係合する係合ピン９をガイド部４に設けたので、外カバー２の伸縮によって清掃体６が放電電極２２と略同軸に回転して放電電極２２に摺動する。従って、放電電極２２の損傷を防止して清掃体６を周方向にも放電電極２２に摺動させることができ、異物Ｗをより確実に除去することができる。尚、異物Ｗの除去効果が低下するが、カム溝８ａ及び係合ピン９を省いて回転を伴わずに清掃体６を軸方向に移動させてもよい。
【００３９】
また、外カバー２を蛇腹状に形成したので、伸縮する外カバー２を容易に実現することができる。尚、外カバー２は蛇腹状に形成することによって伸長方向に付勢されるため、圧縮バネ７を省いてもよい。これにより、電極用清掃用具１の部品点数を削減することができる。また、圧縮バネを蛇腹状の樹脂により被覆して外カバー２を形成してもよい。
【産業上の利用可能性】
【００４０】
本発明によると、針状の放電電極を清掃する電極用清掃用具に利用することができる。
【符号の説明】
【００４１】
１    電極用清掃用具
２    外カバー
２ａ  開口部
２ｂ  上端面
３    台座
４    ガイド部
４ａ  下端面
４ｂ  鍔部
４ｃ  通気孔
５    清掃体保持部
６    清掃体
７    圧縮バネ
８    回転筒
８ａ  カム溝
９    係合ピン
２０    イオン発生装置
２１    イオン発生素子
２２    放電電極
２３    誘導電極
２４    カバー
２４ａ  孔部
２５    基板
【図１】
2012003911.tif 000003
【図２】
2012003911.tif 000004
【図３】
2012003911.tif 000005
【図４】
2012003911.tif 000006